(57)【要約】【課題】  地盤沈下などによってフェンスと門扉との位置関係がいずれの方向にずれた場合でも、門扉の施錠を確実に行うことが可能な門扉の施錠調整装置を提供する。【解決手段】  施錠穴２６ａが形成された連結具２６を門扉２ｆに隣接して設けられるフェンス部２ｄ側に固定する支持部材２１と、支持部材２１の途中に設けられカンヌキ１１の軸方向と平行に延びる第１のターンバックル２２と、支持部材２１の途中に設けられカンヌキ１１の軸方向に対して直交する方向に延びる第２のターンバックル２４とを備える。【選択図】  図２
2013130019.tif 000002
【特許請求の範囲】
【請求項１】
軸方向に移動可能に設けられた門扉側のカンヌキを、前記門扉に隣接して設けられ地上に固定されたフェンス側の施錠穴に挿入することにより、前記門扉の開閉方向の動きを阻止する門扉の施錠調整装置であって、
前記施錠穴が形成された連結具を前記門扉に隣接して設けられる前記フェンス側に固定する支持部材と、
前記支持部材の途中に設けられ前記カンヌキの軸方向と平行に延びる第１の位置調整手段と、
前記支持部材の途中に設けられ前記カンヌキの軸方向に対して直交する方向に延びる第２の位置調整手段と、
を備え、
前記第１の位置調整手段および前記第２の位置調整手段は、それぞれ螺合構造によって軸方向の長さ調整および軸心回りの角度調整が可能であることを特徴とする門扉の施錠調整装置。
【請求項２】
前記第１の位置調整手段および前記第２の位置調整手段は、ターンバックルから構成されていることを特徴とする請求項１に記載の門扉の施錠調整装置。
【発明の詳細な説明】
【技術分野】
【０００１】
この発明は、地盤沈下などによりフェンスと門扉との位置関係がいずれの方向にずれた場合でも、門扉の施錠を確実に行うことが可能な門扉の施錠調整装置に関する。
【背景技術】
【０００２】
変電所や送電鉄塔などの高電圧を取り扱う電力施設においては、関係者以外が電力施設内へ入るのを防止するため、施設の周りにフェンスが設けられている。フェンスの途中には、関係者が出入りするための門扉が取付けられている。
【０００３】
図１０は、電力施設におけるフェンスおよび門扉の一例を示している。図１０に示すように、電力施設の敷地１には、変電設備３を包囲するようにフェンス２が設けられている。フェンス２は、例えば金網からなるフェンス部２ａ〜２ｅを有しており、フェンス部２ａ〜２ｅの下部は地上側に固定されている。フェンス部２ｄとフェンス部２ｅとの間には、門扉２ｆが設けられている。門扉２ｆは、フェンス部２ｅ側に設けられた支点２ｆ１を中心として矢印Ｆ１方向に開閉可能となっている。
【０００４】
図１１は、門扉２ｆの施錠を行うカンヌキ型施錠装置１０を示している。カンヌキ型施錠装置１０は、棒状のカンヌキ１１と、カンヌキ１１に固定されたアーム１２とを有している。カンヌキ１１は、門扉２ｆ側に取付けられたストッパ１３と保持板１４によって、軸方向に移動可能となっている。フェンス部２ｄの端部には、支柱Ｐ１が位置しており、支柱Ｐ１の外面には略Ｃの字形に形成されたフェンス側固定具１５が取付けられている。図１０に示すように、門扉２ｆ側には、フェンス部２ｄ側の支柱Ｐ１と隣接するように支柱Ｐ２が設けられており、支柱Ｐ１と支柱Ｐ２との間は、正常時には距離Ｗ１に設定されている。
【０００５】
図１１に示すように、フェンス側固定具１５の両締結部１５ａの間には、施錠板１５ｂが設けられており、施錠板１５ｂにはカンヌキ１１の先端部１１ａが挿入可能な施錠穴１５ｃが形成されている。門扉２ｆは、カンヌキ１１を施錠穴１５ｃに挿入し、アーム１２を回動させてストッパ１３に係合させることにより、開閉方向（矢印Ｆ１方向）の動きが阻止されるようになっている。
【０００６】
従来から門扉の施錠に関する技術が知られている（例えば、特許文献１参照。）。この特許文献１のカンヌキ型施錠装置は、固定部材と開閉部材との相対位置関係が変わった場合でも、施錠が可能となっている。
【先行技術文献】
【特許文献】
【０００７】
【特許文献１】特開２００７−２６２７８８号公報
【発明の概要】
【発明が解決しようとする課題】
【０００８】
しかし、図１０のカンヌキ型施錠装置１０は、地盤沈下などによってフェンス部２ｄと門扉２ｆが位置ずれした場合は、図１１に示すように、フェンス部２ｄ側の支柱Ｐ１と門扉２ｆ側の支柱Ｐ２との間が距離Ｗ１から距離Ｗ２に変化し、カンヌキ１１の先端部１１ａから施錠板１５ｂまでの距離が大きくなる。そのため、カンヌキ１１を軸方向に移動させ、施錠しようとした場合でも、図１１に示すように、カンヌキ１１の先端部１１ａとフェンス側固定具１５との間に隙間Ｗ３が生じ、カンヌキ１１の先端部１１ａを施錠穴１５ｃに挿入することができなくなる。
【０００９】
このように、図１０のカンヌキ型施錠装置１０は、地盤沈下などによってフェンス部２ｄと門扉２ｆとの位置関係がずれた場合は、門扉２ｆの施錠を行うことができなくなるという問題がある。また、地盤沈下は、単に支柱Ｐ１と支柱Ｐ２との間の距離が変化するだけでなく、施錠穴１５ｃに対してカンヌキ１１の位置も前後、左右、上下方向に変位する場合があり、施錠が困難になるという問題がある。特許文献１の技術も、図１１と同様に位置ずれの方向によって施錠ができなくなるという問題がある。
【００１０】
そこで本発明は、地盤沈下などによってフェンスと門扉との位置関係がいずれの方向にずれた場合でも、門扉の施錠を確実に行うことが可能な門扉の施錠調整装置を提供することを目的とする。
【課題を解決するための手段】
【００１１】
上記目的を達成するために請求項１に記載の発明は、軸方向に移動可能に設けられた門扉側のカンヌキを、前記門扉に隣接して設けられ地上に固定されたフェンス側の施錠穴に挿入することにより、前記門扉の開閉方向の動きを阻止する門扉の施錠調整装置であって、前記施錠穴が形成された連結具を前記門扉に隣接して設けられる前記フェンス側に固定する支持部材と、前記支持部材の途中に設けられ前記カンヌキの軸方向と平行に延びる第１の位置調整手段と、前記支持部材の途中に設けられ前記カンヌキの軸方向に対して直交する方向に延びる第２の位置調整手段と、を備え、前記第１の位置調整手段および前記第２の位置調整手段は、それぞれ螺合構造によって軸方向の長さ調整および軸心回りの角度調整が可能であることを特徴とする門扉の施錠調整装置である。
【００１２】
この発明によれば、支持部材の途中に設けられる第１の位置調整手段および第２の位置調整手段は、軸方向の長さ調整および軸心回りの角度調整が可能であるので、施錠穴を有する連結具の位置を前後、左右、上下のいずれの方向にも調整することができ、カンヌキの位置と施錠穴との位置とを合致させることが可能となる。
【００１３】
請求項２に記載の発明は、請求項１に記載の門扉の施錠調整装置において、前記第１の位置調整手段および前記第２の位置調整手段は、ターンバックルから構成されていることを特徴としている。
【発明の効果】
【００１４】
請求項１に記載の発明によれば、各位置調整手段を使用することにより、施錠穴を有する連結具の位置を前後、左右、上下のいずれの方向にも調整することができるので、カンヌキの位置と施錠穴との位置とを合致させることができる。したがって、地盤沈下などによりフェンスと門扉の位置関係がいずれの方向にずれた場合でも、カンヌキを施錠穴に挿入させることが可能となり、フェンスに対する門扉の施錠を確実に行うことができる。
【００１５】
請求項２に記載の発明によれば、第１の位置調整手段および第２の位置調整手段をターンバックルから構成しているので、位置調整ための構造を小型化でき、フェンスと門扉との間の取付けスペースが小であっても、取付けが容易となる。
【図面の簡単な説明】
【００１６】
【図１】本発明の実施の形態に係わる門扉の施錠調整装置を備えた電力施設の平面図である。
【図２】図１の施錠調整装置の要部拡大平面図である。
【図３】図１のカンヌキ型施錠装置と施錠調整装置との関係を示す平面図である。
【図４】図１の第１の位置調整手段の拡大平面図である。
【図５】図１の第２の位置調整手段の拡大平面図である。
【図６】図１のカンヌキと施錠穴との関係を示す斜視図である。
【図７】図１の門扉の施錠前の状態を示す側面図である。
【図８】図１の門扉の施錠後の状態を示す側面図である。
【図９】図１の門扉の施錠後の状態を示す正面図である。
【図１０】従来のカンヌキ型施錠装置を備えた電力施設の平面図である。
【図１１】図１０のカンヌキ型施錠装置の拡大平面図である。
【発明を実施するための形態】
【００１７】
つぎに、この発明の実施の形態について、図面を用いて詳しく説明する。
【００１８】
図１ないし図９は、本発明の実施の形態を示しており、とくに高電圧を取り扱う電力施設に適用した場合を示している。図１に示すように、電力施設の敷地１には、フェンス２が設けられており、フェンス２の内側に変電設備３が設けられている。フェンス２は、金網からなるフェンス部２ａ〜２ｅを有している。フェンス部２ａ〜２ｅは、変電設備３を四方から包囲するように平面形状が四角形に配列されている。各フェンス部２ａ〜２ｅの下部は、地上側に固定されている。フェンス部２ｄとフェンス部２ｅとの間には、門扉２ｆが設けられている。門扉２ｆは、フェンス部２ｅ側に設けられた支点２ｆ１を中心として矢印Ｆ１方向に開閉可能となっている。
【００１９】
図１に示すように、門扉２ｆの外面側には、門扉２ｆの施錠を行うカンヌキ型施錠装置１０が取付けられている。カンヌキ型施錠装置１０は、カンヌキ１１、アーム１２、ストッパ１３、保持板１４、フェンス側固定具１５、門扉側固定具１６、錠前１８を有している。図３に示すように、カンヌキ１１は、先端部１１ａから軸方向に沿って直線状に延びる丸棒部材から構成されており、終端部は軸方向に対して直交する方向に屈曲している。カンヌキ１１は、門扉２ｆの外面側に取付けられたストッパ１３と保持板１４によって、軸方向（図９の軸心Ｃに沿う方向）に移動可能に保持されている。フェンス部２ｄの端部には、支柱Ｐ１が位置しており、支柱Ｐ１の外周面には略Ｃの字形に形成されたフェンス側固定具１５が取付けられている。
【００２０】
門扉２ｆ側には、フェンス部２ｄ側の支柱Ｐ１と隣接するように支柱Ｐ２が設けられている。支柱Ｐ２の外周面には、門扉側固定具１６が取付けられている。カンヌキ型施錠装置１０におけるストッパ１３と保持板１４は、門扉側固定具１６によって支持される板状部材（図示略）に取付けられている。フェンス部２ｄと門扉２ｆとの間は、施錠調整装置２０が設けられている。施錠調整装置２０は、この実施の形態においては、地盤沈下などによりフェンス部２ｄと門扉２ｆとの位置関係がずれた後に、フェンス部２ｄと門扉２ｆとの間に設ける構成としている。
【００２１】
施錠調整装置２０は、支持部材２１と、第１の位置調整手段２２と、第２の位置調整手段２４と、連結具２６とから構成されている。施錠調整装置２０の各部材は、例えば耐食性の高いステンレス鋼などの部材から構成されている。支持部材２１は、第１の支持部材２１ａと、第２の支持部材２１ｂと、第３の支持部材２１ｃとから構成されている。支持部材２１のうち第１の支持部材２１ａは、図６に示すように、フェンス部２ｄの端部に位置する支柱Ｐ１に設けられた固定具１５を介して支柱Ｐ１側に固定されている。詳しくは、第１の支持部材２１ａの一方は板状に形成されており、固定具１５の両締結部１５ａに挟持された状態となっている。第１の支持部材２１ａの一方を両締結部１５ａと第１の支持部材２１をネジ２７とナット２８を用いて共締することにより、第１の支持部材２１ａは支柱Ｐ１側に固定されている。
【００２２】
第１の支持部材２１ａの他方は、丸棒状に形成されている。第１の支持部材２１ａの他端部には、第１の位置調整手段としての第１のターンバックル２２が取付けられている。第１のターンバックル２２は、図４に示すように、ターンバックル本体２２ａと、右雌ネジ２２ｂと、左雌ネジ２２ｃと、右雄ネジ２２ｄと、左雄ネジ２２ｅを有している。右雌ネジ２２ｂは、ターンバックル本体２２ａの一端部に形成されている。左雌ネジ２２ｃは、ターンバックル本体２２ａの他端部に形成されている。右雄ネジ２２ｄは、第１の支持部材２１ａの他端部に形成されており、ターンバックル本体２２ａの右雌ネジ２２ｂと螺合している。左雄ネジ２２ｅは、第２の支持部材２１ｂの一端部に形成されており、ターンバックル本体２２ａの左雌ネジ２２ｃと螺合している。第１のターンバックル２２は、図４の矢印Ｆ２に示すように、ターンバックル本体２２ａを軸心回りに回動させることにより、Ｘ軸方向の長さが調整可能となっている。
【００２３】
第２の支持部材２１ｂは、丸棒状の金属部材から構成されている。第２の支持部材２１ｂは、軸方向のほぼ中央部でくの字状に屈曲しており、第２の支持部材２１ｂの他方の軸心は、第２の支持部材２１ｂの一方の軸心に対して直交している。第２の支持部材２１ｂの他方には、第２の位置調整手段としての第２のターンバックル２４が取付けられている。第２のターンバックル２４は、図５に示すように、ターンバックル本体２４ａと、右雌ネジ２４ｂと、左雌ネジ２４ｃと、右雄ネジ２４ｄと、左雄ネジ２４ｅを有している。右雌ネジ２４ｂは、ターンバックル本体２４ａの一端部に形成されている。左雌ネジ２４ｃは、ターンバックル本体２４ａの他端部に形成されている。右雄ネジ２４ｄは、第２の支持部材２１ｂの他端部に形成されており、ターンバックル本体２４ａの右雌ネジ２４ｂと螺合している。左雄ネジ２４ｅは、第３の支持部材２１ｃの一端部に形成されており、ターンバックル本体２４ａの左雌ネジ２４ｃと螺合している。第２のターンバックル２４は、図５の矢印Ｆ３に示すように、ターンバックル本体２４ａを軸心回りに回動させることにより、Ｙ軸方向の長さが調整可能となっている。
【００２４】
第３の支持部材２１ｃの他端部には、カンヌキ１１の先端部１１ａが挿入可能な施錠穴２６ａを有する連結具２６が取付けられている。連結具２６は、リング状に形成されており、施錠穴２６ａの内径はカンヌキ１１の外径よりも多少大に形成されている。施錠穴２６ａの軸心は、カンヌキ１１の軸心と平行となっている。
【００２５】
図７は、カンヌキ１１の軸方向の動きを阻止するストッパ１３を示している。ストッパ１３には、カンヌキ１１を軸方向に移動可能に支持するための支持穴１３ａが形成されている。カンヌキ１１の外面には、外方に延びる板状のアーム１２が固定されている。ストッパ１３には、カンヌキ１１の軸方向の移動にともなってアーム１２を通過させる切除部１３ｂが形成されている。切除部１３ｂは、支持穴１３ａの内面とストッパ１３の外面とを貫通している。ストッパ１３には、切除部１３ｂの下方に位置し、錠前１８を取付けるための錠穴１３ｃが形成されている。アーム１２には、図９に示すように、ストッパ１３の下部側に進入可能な四角形の長穴からなる係合穴１２ａが形成されている。
【００２６】
つぎに、施錠調整装置２０の使用方法および作用について説明する。
【００２７】
施錠調整装置２０は、地盤沈下などによりフェンス部２ｄと門扉２ｆとの位置関係がずれた後に、支柱Ｐ１と支柱Ｐ２との間に設けられる。つまり、図１０に示す状態で使用されていた門扉２ｆとフェンス部２ｄとの位置関係が、地盤沈下などによって大きくずれ、カンヌキ１１が図１１のように正常な機能を果たせなくなった場合には、門扉２ｆとフェンス部２ｄとの間に施錠調整装置２０が設けられる。
【００２８】
施錠調整装置２０の取付けは、つぎのような手順で行われる。まず、図１１に示す施錠板１５ｂが取り外される。施錠板１５ｂの取り外しは、固定具１５における両締結部１５ａによる締結を緩めることにより行われる。施錠板１５ｂを取り外した後は、固定具１５を軸心回りに回動させ、両締結部１５ａをフェンス２ｄの内側に位置させる。そして、両締結部１５ａを利用して第１の支持部材２１ａを固定具１５に取付ける。これにより、第１の支持部材２１ａは、固定具１５を介してフェンス部２ｄ側の支柱Ｐ１に固定されたことになる。
【００２９】
図２に示すように、連結具２６が取付けられた支持部材２１に、第１のターンバックル２２と、第２のターンバックル２４とを予め取付けておくことにより、現地での施錠調整装置２０の組立作業が容易となる。すなわち、この実施の形態においては、支持部材２１は３つに分割されているので、分割された支持部材２１に、第１のターンバックル２２と第２のターンバックル２４とを予め取付けて保管しておくことにより、現地での施錠調整装置２０の組立作業が容易となる。
【００３０】
施錠調整装置２０がフェンス部２ｄ側の支柱Ｐ１に固定した状態では、第１のターンバックル２２と第２のターンバックル２４を操作することにより、施錠穴２６ａの位置をカンヌキ１１の先端部１１ａに合致させることが可能となり、カンヌキ１１を施錠穴２６ａに挿入させることができる。
【００３１】
第１のターンバックル２２と第２のターンバックル２４による位置調整は、つぎのように行われる。図２に示すように、まず、第１のターンバックル２２のターンバックル本体２２ａを矢印Ｆ２方向に回動させることにより、連結具２６は矢印Ｘ１方向に移動することになる。そして、第２のターンバックル２４のターンバックル本体２４ａを矢印Ｆ３方向に回動させることにより、連結具２６は矢印Ｙ１方向に移動することになる。さらに、第１のターンバックル２２のターンバックル本体２２ａに対して、第２の支持部材２３のみを軸心回りに回動させることにより、図６に示すように連結具２６を上下方向（矢印Ｚ方向）に移動させることが可能となる。
【００３２】
このように、第１のターンバックル２２および第２のターンバックル２４は、それぞれ螺合構造によって軸方向の長さ調整および軸心回りの角度調整が可能であるので、施錠穴２６ａを有する連結具２６の位置を前後、左右、上下のいずれの方向にも調整することができ、カンヌキ１１を施錠穴２６ａに挿入させることが可能となる。また、地盤沈下などによってカンヌキ１１の軸心Ｃが上下方向（矢印Ｆ５方向）に傾いた状態となっていても、第２のターンバックル２４のターンバックル本体２４ａに対して、第３の支持部材２５のみを軸心回り（図２の矢印Ｆ４方向）に回動させることにより、施錠穴２６ａの軸心をカンヌキ１１の軸心Ｃに合致させることが可能となる。この状態では、カンヌキ１１を軸方向（矢印Ｆ０方向）に移動させることにより、カンヌキ１１の先端部１１ａを確実に連結具２６の施錠穴２６ａに挿入させることができる。
【００３３】
つぎに、カンヌキ１１の先端部１１ａを連結具２６の施錠穴２６ａに挿入させた後は、図７に示すように、カンヌキ１１に固定されたアーム１２を押し下げ、カンヌキ１１を軸心回りに回動させる。これにより、アーム１２の係合穴１２ａにストッパ１３の下部側が進入した状態となる。この状態では、ストッパ１３の錠前穴１３ｃに錠前１８が挿通され、錠前１８は鍵（図示略）によってロックされる。したがって、アーム１３はストッパ１３と係合した状態に維持され、カンヌキ１１の先端部１１ａは連結具２６の施錠穴２６ａに挿入されたままとなる。これにより、門扉２ｆの開閉方向（矢印Ｆ１方向）の動きが確実に阻止される。
【００３４】
このように、各ターンバックル２２、２４を操作することにより、施錠穴２６ａを有する連結具２６の位置を前後、左右、上下のいずれの方向にも調整することができ、地盤沈下などによりフェンス２ｄと門扉２ｆとの位置関係が大きくずれた場合でも、カンヌキ１１の位置と施錠穴２６ａとの位置とを合致させることができる。したがって、フェンス２ｄと門扉２ｆとの位置関係があらゆる方向にずれた状態であっても、カンヌキ１１を施錠穴２６ａに挿入させることが可能となり、フェンス２ｄに対して門扉２ｆの施錠を確実に行うことができる。また、第１の位置調整手段および第２の位置調整手段を、それぞれ第１のターンバックル２２および第２のターンバックル２４から構成しているので、位置調整のための構造を小型化でき、フェンス２ｄと門扉２ｆとの間の取付けスペースが小であっても、取付けが容易となる。
【００３５】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、変電所や送電鉄塔などの高電圧を取り扱う電力施設に適用した例を説明したが、その他の施設に適用可能なことは勿論である。また、位置調整手段として、上記の実施の形態ではターンバックル２２、２４を用いる構成としたが、位置調整手段は、ターンバックルに限定されることはなく、螺合構造により軸方向の調整および軸心回りの調整が可能な構造であれば、ターンバックル以外の構造であってもよい。
【００３６】
さらに、この実施の形態においては、施錠調整装置２０は、地盤沈下などによりフェンス２ｄと門扉２ｆとの位置関係がずれた後に、フェンス２ｄと門扉２ｆとの間に設けるようにしているが、フェンス２を敷設する当初からフェンス２ｄと門扉２ｆとの間に施錠調整装置２０を設ける構成としてもよい。
【符号の説明】
【００３７】
２                フェンス
２ｆ              門扉
３                電力設備
１０              カンヌキ型施錠装置
１１              カンヌキ
１２              アーム
１３              ストッパ
２０              施錠調整装置
２１              支持部材
２２              第１のターンバックル（第１の位置調整手段）
２４              第２のターンバックル（第２の位置調整手段）
２６              連結具
２６ａ            施錠穴
【図１】
2013130019.tif 000003
【図２】
2013130019.tif 000004
【図３】
2013130019.tif 000005
【図４】
2013130019.tif 000006
【図５】
2013130019.tif 000007
【図６】
2013130019.tif 000008
【図７】
2013130019.tif 000009
【図８】
2013130019.tif 000010
【図９】
2013130019.tif 000011
【図１０】
2013130019.tif 000012
【図１１】
2013130019.tif 000013